(57)【要約】【課題】ワイヤボンディングを切り替えることにより、２つの動作モードを切り替えることを可能にすると共に該当ピンを入力信号として利用することが可能な半導体装置を得る。【解決手段】プルアップしたパッド３ａの状態遷移を検知する状態遷移検知回路７ａと、プルアップしたパッド３ｂの状態遷移を検知する状態遷移検知回路７ｂと、状態遷移検知回路７ａにより状態遷移が検知された場合、または状態遷移検知回路７ｂにより状態遷移が検知された場合に、互いに相違するモード切り替え信号を発生するモード切替回路８と、パッド３ａの状態およびパッド３ｂの状態の論理積に応じた入力信号を発生する入力回路９とを備えた。【選択図】　　　　図１
2004047720.tif 000002
【特許請求の範囲】
【請求項１】
プルアップした第１のパッドの状態遷移を検知する第１の状態遷移検知回路と、
プルアップした第２のパッドの状態遷移を検知する第２の状態遷移検知回路と、
上記第１の状態遷移検知回路により状態遷移が検知された場合、または上記第２の状態遷移検知回路により状態遷移が検知された場合に、互いに相違するモード切り替え信号を発生するモード切替回路と、
上記第１のパッドの状態および上記第２のパッドの状態の論理積に応じた入力信号を発生する入力回路とを備えた半導体装置。
【請求項２】
プルダウンした第１のパッドの状態遷移を検知する第１の状態遷移検知回路と、
プルダウンした第２のパッドの状態遷移を検知する第２の状態遷移検知回路と、
上記第１の状態遷移検知回路により状態遷移が検知された場合、または上記第２の状態遷移検知回路により状態遷移が検知された場合に、互いに相違するモード切り替え信号を発生するモード切替回路と、
上記第１のパッドの状態および上記第２のパッドの状態の論理和に応じた入力信号を発生する入力回路とを備えた半導体装置。
【請求項３】
プルアップした第１のパッドの状態遷移を検知する第１の状態遷移検知回路と、
プルダウンした第２のパッドの状態遷移を検知する第２の状態遷移検知回路と、
上記第１の状態遷移検知回路により状態遷移が検知された場合、または上記第２の状態遷移検知回路により状態遷移が検知された場合に、互いに相違するモード切り替え信号を発生するモード切替回路と、
上記モード切替回路により上記第１のパッドにワイヤボンディングされた時のモード切り替え信号が発生された場合に上記第１のパッドの状態および上記第２のパッドの状態の論理和に応じた入力信号を発生し、上記モード切替回路により上記第２のパッドにワイヤボンディングされた時のモード切り替え信号が発生された場合に上記第１のパッドの状態否定および上記第２のパッドの状態の論理和に応じた入力信号を発生する入力回路とを備えた半導体装置。
【発明の詳細な説明】
【０００１】
【発明の属する技術分野】
この発明は、２つの動作モードを切り替える半導体装置に関するものである。
【０００２】
【従来の技術】
図１２および図１３は従来の半導体装置を示す構成図であり、図において、１はリード、２はチップ、３ａ〜３ｃはパッド、４ａ，４ｂはワイヤである。
【０００３】
次に動作について説明する。
従来、チップに２つの動作モード（ここで言う動作モードとは、出荷時にどちらかのモードに固定され、出荷後に他のモードに変更されることはない）を備えた半導体装置において、ボンディングオプションにより動作モードを切り替えていた。図１２および図１３はそれらチップの一例を示したものである。
図１２に示したように、例えば、リード１とパッド３ａのみとをワイヤボンディングして、リード１よりパッド３ａに電源電位を供給した場合には、チップ２内で、パッド３ａのみがワイヤボンディングされ、パッド３ｂ，３ｃがワイヤボンディングされていないことを検知することにより、チップ２を動作モードＡで機能させるようにする。
また、図１３に示したように、リード１とパッド３ａ，３ｂとをワイヤボンディングして、リード１よりパッド３ａ，３ｂに電源電位を供給した場合には、チップ２内で、パッド３ａ，３ｂがワイヤボンディングされ、パッド３ｃがワイヤボンディングされていないことを検知することにより、チップ２を動作モードＢで機能させるようにする。
このような動作モードを設定するために接続されるリード１は、予め準備されているもの（例えば、電源ピンに接続されるリード）を使用するので、該当のリード１からは２つのパッド（例えば、パッド３ａ，３ｂ）に接続する必要がある。
【０００４】
【発明が解決しようとする課題】
従来の半導体装置は以上のように構成されているので、１つのリード１から２つのパッド３ａ，３ｂに対してワイヤリングする必要があるため、２つのパッド３ａ，３ｂに対してワイヤリングできるように、リード１に専用のフレームを用意する必要があり、一部のリード１のみ別構成にすることによりコストがかかってしまうという課題があった。
また、これを回避するために、全てのリード１に対して２つのワイヤが接続可能なように構成することも面積増大につながり、コストがかかってしまうという課題があった。
【０００５】
この発明は上記のような課題を解決するためになされたもので、あるピンに対するワイヤボンディングを切り替えることにより、いずれかのパッドにつながっているかを検知し、２つの動作モードを切り替えることを可能にすると共に該当ピンを入力信号として利用することが可能な半導体装置を得ることを目的とする。
【０００６】
【課題を解決するための手段】
この発明に係る半導体装置は、プルアップした第１のパッドの状態遷移を検知する第１の状態遷移検知回路と、プルアップした第２のパッドの状態遷移を検知する第２の状態遷移検知回路と、第１の状態遷移検知回路により状態遷移が検知された場合、または第２の状態遷移検知回路により状態遷移が検知された場合に、互いに相違するモード切り替え信号を発生するモード切替回路と、第１のパッドの状態および第２のパッドの状態の論理積に応じた入力信号を発生する入力回路とを備えたものである。
【０００７】
この発明に係る半導体装置は、プルダウンした第１のパッドの状態遷移を検知する第１の状態遷移検知回路と、プルダウンした第２のパッドの状態遷移を検知する第２の状態遷移検知回路と、第１の状態遷移検知回路により状態遷移が検知された場合、または第２の状態遷移検知回路により状態遷移が検知された場合に、互いに相違するモード切り替え信号を発生するモード切替回路と、第１のパッドの状態および第２のパッドの状態の論理和に応じた入力信号を発生する入力回路とを備えたものである。
【０００８】
この発明に係る半導体装置は、プルアップした第１のパッドの状態遷移を検知する第１の状態遷移検知回路と、プルダウンした第２のパッドの状態遷移を検知する第２の状態遷移検知回路と、第１の状態遷移検知回路により状態遷移が検知された場合、または第２の状態遷移検知回路により状態遷移が検知された場合に、互いに相違するモード切り替え信号を発生するモード切替回路と、モード切替回路により第１のパッドにワイヤボンディングされた時のモード切り替え信号が発生された場合に第１のパッドの状態および第２のパッドの状態の論理和に応じた入力信号を発生し、モード切替回路により第２のパッドにワイヤボンディングされた時のモード切り替え信号が発生された場合に第１のパッドの状態否定および第２のパッドの状態の論理和に応じた入力信号を発生する入力回路とを備えたものである。
【０００９】
【発明の実施の形態】
以下、この発明の実施の一形態を説明する。
実施の形態１．
図１および図２はこの発明の実施の形態１による半導体装置を示す構成図であり、図において、１はリード、２はチップ、３ａはパッド（第１のパッド）、３ｂはパッド（第２のパッド）、４ａ，４ｂはワイヤである。
５は電源、６ａ，６ｂはプルアップ抵抗である。７ａはパッド３ａの状態遷移を検知する状態遷移検知回路（第１の状態遷移検知回路）、７ｂはパッド３ｂの状態遷移を検知する状態遷移検知回路（第２の状態遷移検知回路）である。８は状態遷移検知回路７ａまたは状態遷移検知回路７ｂにより状態遷移が検知された場合に、互いに相違するモード切り替え信号を発生するモード切替回路、９はパッド３ａの状態およびパッド３ｂの状態の論理積に応じた入力信号を発生する入力回路である。
図３はモードＡ時の動作状態を示すタイミングチャート、図４はモードＢ時の動作状態を示すタイミングチャートである。
図５はこの発明の実施の形態１による半導体装置の入出力状態を示す真理値表図である。
【００１０】
次に動作について説明する。
図１および図２において、動作モードを決定するためのパッドが２つ用意されている。図１では外部ピンに繋がったリード１とパッド３ａとがワイヤ４ａにより接続され、図２では外部ピンに繋がったリード１とパッド３ｂとがワイヤ４ｂにより接続され、リード１とパッド３ａまたはパッド３ｂとが接続されることで、チップ２の動作モードが決定されている。
パッド３ａ，３ｂは、電源５および高抵抗のプルアップ抵抗６ａ，６ｂにより、予めプルアップされている。パッド３ａ，３ｂには、状態遷移検知回路７ａ，７ｂが設けられており、それら状態遷移検知回路７ａ，７ｂでは、点Ａ，Ｂの状態が“Ｈｉｇｈ”→“Ｌｏｗ”、あるいは、“Ｌｏｗ”→“Ｈｉｇｈ”に切り替わった時、すなわち、状態遷移を検知した際にパルスを発生する。これら状態遷移検知回路７ａ，７ｂの出力はモード切替回路８に接続されており、このモード切替回路８において、状態遷移検知回路７ａまたは状態遷移検知回路７ｂにより状態遷移が検知された場合に、互いに相違するモード切り替え信号を発生する。また、パッド３ａ，３ｂは入力回路９にも接続されており、その入力回路９では、点Ａ，Ｂの状態の論理積に応じた入力信号を発生する。
【００１１】
次に図１の接続図および図３のタイミングチャートを参照しながら動作モードＡの設定状態について説明する。
図１において、パッド３ａが外部に接続されているため、外部入力に呼応して、信号のレベルが変化する（点Ａ）。他のパッド３ｂは、予め接続されているプルアップ抵抗６ｂのため、“Ｈｉｇｈ”に固定されている（点Ｂ）。
次に、該当のピンの入力を“Ｈｉｇｈ”→“Ｌｏｗ”、あるいは、“Ｌｏｗ”→“Ｈｉｇｈ”に切り替える。その時、パッド３ａに接続された状態遷移検知回路７ａは、“Ｈｉｇｈ”のパルスを発生する（点Ａ１）。一方、状態遷移検知回路７ｂは、入力される点Ｂの信号のレベルが“Ｈｉｇｈ”に固定されているので、“Ｌｏｗ”の信号を発生し続ける（点Ｂ１）。これら点Ａ１および点Ｂ１の信号レベルはモード切替回路８に入力され、モード切替回路８では、点Ｂ１の“Ｌｏｗ”レベル検知時に点Ａ１の“Ｈｉｇｈ”のパルスを検知した場合に、以降“Ｈｉｇｈ”レベルのモード切り替え信号を発生し続ける（モード切り替え信号）。
さらに、入力回路９では、点Ａ，Ｂの状態の論理積に応じた入力信号を発生する機能を有しており、点Ｂの信号のレベルが“Ｈｉｇｈ”に固定されているので、点Ａの信号のレベルが“Ｈｉｇｈ”になった時だけ、“Ｈｉｇｈ”レベルの入力信号を発生する。
【００１２】
次に図２の接続図および図４のタイミングチャートを参照しながら動作モードＢの設定状態について説明する。
図２において、パッド３ｂが外部に接続されているため、外部入力に呼応して、信号のレベルが変化する（点Ｂ）。他のパッド３ａは、予め接続されているプルアップ抵抗６ａのため、“Ｈｉｇｈ”に固定されている（点Ａ）。
次に、該当のピンの入力を“Ｈｉｇｈ”→“Ｌｏｗ”、あるいは、“Ｌｏｗ”→“Ｈｉｇｈ”に切り替える。その時、パッド３ｂに接続された状態遷移検知回路７ｂは、“Ｈｉｇｈ”のパルスを発生する（点Ｂ１）。一方、状態遷移検知回路７ａは、入力される点ａの信号のレベルが“Ｈｉｇｈ”に固定されているので、“Ｌｏｗ”の信号を発生し続ける（点Ａ１）。これら点Ａ１および点Ｂ１の信号レベルはモード切替回路８に入力され、モード切替回路８では、点Ａ１の“Ｌｏｗ”レベル検知時に点Ｂ１の“Ｈｉｇｈ”のパルスを検知した場合に、以降“Ｌｏｗ”レベルのモード切り替え信号を発生し続ける（モード切り替え信号）。このように、図３に示した動作モードＡのモード切り替え信号のレベルは“Ｈｉｇｈ”であったが、動作モードＢのモード切り替え信号のレベルは“Ｌｏｗ”としている。
さらに、入力回路９では、点Ａの信号のレベルが“Ｈｉｇｈ”に固定されているので、点Ｂの信号のレベルが“Ｈｉｇｈ”になった時だけ、“Ｈｉｇｈ”レベルの入力信号を発生する。
これらの入出力の関係を表にまとめると図５のようになる。
【００１３】
以上のように、この実施の形態１によれば、リード１とパッド３ａまたはパッド３ｂとのワイヤによる接続により、電源投入時に２つの動作モードのうちのいずれかを設定することができると共にそのリード１からの信号を入力信号として利用することができ、１つのリード１から２つのパッド３ａ，３ｂに対して同時にワイヤリングする必要が無く、リード１に関するコストを抑えることができる。
【００１４】
実施の形態２．
図６および図７はこの発明の実施の形態２による半導体装置を示す構成図であり、図において、１０はグランド、１１ａ，１１ｂはプルダウン抵抗である。１２はパッド３ａの状態およびパッド３ｂの状態の論理和に応じた入力信号を発生する入力回路である。
図８はこの発明の実施の形態２による半導体装置の入出力状態を示す真理値表図である。
【００１５】
次に動作について説明する。
図６において、パッド３ａが外部に接続されているため、外部入力に呼応して、信号のレベルが変化する。他のパッド３ｂは、予め接続されているプルダウン抵抗１１ｂのため、“Ｌｏｗ”に固定されている。
次に、該当のピンの入力を“Ｈｉｇｈ”→“Ｌｏｗ”、あるいは、“Ｌｏｗ”→“Ｈｉｇｈ”に切り替える。その時、パッド３ａに接続された状態遷移検知回路７ａは、パルスを発生する。一方、状態遷移検知回路７ｂは、入力される点Ｂの信号のレベルが“Ｌｏｗ”に固定されているので、固定信号を発生し続ける。これら点Ａ１および点Ｂ１の信号レベルはモード切替回路８に入力され、モード切替回路８では、点Ｂ１の固定信号が検知され、点Ａ１のパルスを検知した場合に、以降“Ｈｉｇｈ”レベルのモード切り替え信号を発生し続ける。
さらに、入力回路１２では、点Ａ，Ｂの状態の論理和に応じた入力信号を発生する機能を有しており、点Ｂの信号のレベルが“Ｌｏｗ”に固定されているので、点Ａの信号のレベルが“Ｈｉｇｈ”になった時だけ、“Ｈｉｇｈ”レベルの入力信号を発生する。
また、図７において、パッド３ｂが外部に接続されているため、外部入力に呼応して、信号のレベルが変化する。他のパッド３ａは、予め接続されているプルダウン抵抗１１ａのため、“Ｌｏｗ”に固定されている。
次に、該当のピンの入力を“Ｈｉｇｈ”→“Ｌｏｗ”、あるいは、“Ｌｏｗ”→“Ｈｉｇｈ”に切り替える。その時、パッド３ｂに接続された状態遷移検知回路７ｂは、パルスを発生する。一方、状態遷移検知回路７ａは、入力される点ａの信号のレベルが“Ｌｏｗ”に固定されているので、固定信号を発生し続ける。これら点Ａ１および点Ｂ１の信号レベルはモード切替回路８に入力され、モード切替回路８では、点Ａ１の固定信号が検知され、点Ｂ１のパルスを検知した場合に、以降“Ｌｏｗ”レベルのモード切り替え信号を発生し続ける。このように、図６に示した動作モードＡのモード切り替え信号のレベルは“Ｈｉｇｈ”であったが、動作モードＢのモード切り替え信号のレベルは“Ｌｏｗ”としている。
さらに、入力回路１２では、点Ａの信号のレベルが“Ｌｏｗ”に固定されているので、点Ｂの信号のレベルが“Ｈｉｇｈ”になった時だけ、“Ｈｉｇｈ”レベルの入力信号を発生する。
これらの入出力の関係を表にまとめると図８のようになる。
【００１６】
以上のように、この実施の形態２によれば、リード１とパッド３ａまたはパッド３ｂとのワイヤによる接続により、電源投入時に２つの動作モードのうちのいずれかを設定することができると共にそのリード１からの信号を入力信号として利用することができ、１つのリード１から２つのパッド３ａ，３ｂに対して同時にワイヤリングする必要が無く、リード１に関するコストを抑えることができる。
【００１７】
実施の形態３．
図９および図１０はこの発明の実施の形態３による半導体装置を示す構成図であり、図において、１３はモード切替回路８によりパッド３ａにワイヤボンディングされた時のモード切り替え信号が発生された場合にパッド３ａの状態およびパッド３ｂの状態の論理和に応じた入力信号を発生し、モード切替回路８によりパッド３ｂにワイヤボンディングされた時のモード切り替え信号が発生された場合にパッド３ａの状態否定およびパッド３ｂの状態の論理和に応じた入力信号を発生する入力回路である。
図１１はこの発明の実施の形態３による半導体装置の入出力状態を示す真理値表図である。
【００１８】
次に動作について説明する。
図９において、パッド３ａが外部に接続されているため、外部入力に呼応して、信号のレベルが変化する。他のパッド３ｂは、予め接続されているプルダウン抵抗１１ｂのため、“Ｌｏｗ”に固定されている。
次に、該当のピンの入力を“Ｈｉｇｈ”→“Ｌｏｗ”、あるいは、“Ｌｏｗ”→“Ｈｉｇｈ”に切り替える。その時、パッド３ａに接続された状態遷移検知回路７ａは、パルスを発生する。一方、状態遷移検知回路７ｂは、入力される点Ｂの信号のレベルが“Ｌｏｗ”に固定されているので、固定信号を発生し続ける。これら点Ａ１および点Ｂ１の信号レベルはモード切替回路８に入力され、モード切替回路８では、点Ｂ１の固定信号が検知され、点Ａ１のパルスを検知した場合に、以降“Ｈｉｇｈ”レベルのモード切り替え信号を発生し続ける。
さらに、入力回路１３では、モード切替回路８により“Ｈｉｇｈ”レベルのモード切り替え信号を発生された場合に、パッド３ａからの信号を入力していると判断して、パッド３ａの状態およびパッド３ｂの状態の論理和に応じた入力信号を発生する。その結果、点Ｂの信号のレベルが“Ｌｏｗ”に固定されているので、点Ａの信号のレベルが“Ｈｉｇｈ”になった時だけ、“Ｈｉｇｈ”レベルの入力信号を発生する。
また、図１０において、パッド３ｂが外部に接続されているため、外部入力に呼応して、信号のレベルが変化する。他のパッド３ａは、予め接続されているプルアップ抵抗６ａのため、“Ｈｉｇｈ”に固定されている。
次に、該当のピンの入力を“Ｈｉｇｈ”→“Ｌｏｗ”、あるいは、“Ｌｏｗ”→“Ｈｉｇｈ”に切り替える。その時、パッド３ｂに接続された状態遷移検知回路７ｂは、パルスを発生する。一方、状態遷移検知回路７ａは、入力される点ａの信号のレベルが“Ｈｉｇｈ”に固定されているので、固定信号を発生し続ける。これら点Ａ１および点Ｂ１の信号レベルはモード切替回路８に入力され、モード切替回路８では、点Ａ１の固定信号が検知され、点Ｂ１のパルスを検知した場合に、以降“Ｌｏｗ”レベルのモード切り替え信号を発生し続ける。このように、図９に示した動作モードＡのモード切り替え信号のレベルは“Ｈｉｇｈ”であったが、動作モードＢのモード切り替え信号のレベルは“Ｌｏｗ”としている。さらに、入力回路１３では、モード切替回路８により“Ｌｏｗ”レベルのモード切り替え信号を発生された場合に、パッド３ｂからの信号を入力していると判断して、パッド３ａの状態否定およびパッド３ｂの状態の論理和に応じた入力信号を発生する。その結果、点Ａの信号のレベルが“Ｈｉｇｈ”に固定されているので、その状態否定は“Ｌｏｗ”に固定され、点Ｂの信号のレベルが“Ｈｉｇｈ”になった時だけ、“Ｈｉｇｈ”レベルの入力信号を発生する。
これらの入出力の関係を表にまとめると図１１のようになる。
【００１９】
以上のように、この実施の形態３によれば、リード１とパッド３ａまたはパッド３ｂとのワイヤによる接続により、電源投入時に２つの動作モードのうちのいずれかを設定することができると共にそのリード１からの信号を入力信号として利用することができ、１つのリード１から２つのパッド３ａ，３ｂに対して同時にワイヤリングする必要が無く、リード１に関するコストを抑えることができる。
【００２０】
【発明の効果】
以上のように、この発明によれば、プルアップした第１のパッドの状態遷移を検知する第１の状態遷移検知回路と、プルアップした第２のパッドの状態遷移を検知する第２の状態遷移検知回路と、第１の状態遷移検知回路により状態遷移が検知された場合、または第２の状態遷移検知回路により状態遷移が検知された場合に、互いに相違するモード切り替え信号を発生するモード切替回路と、第１のパッドの状態および第２のパッドの状態の論理積に応じた入力信号を発生する入力回路とを備えるように構成したので、所望の動作モードに基づいて、リードと第１のパッドおよび第２のパッドのいずれか一方とをワイヤボンディングすれば、第１の状態遷移検知回路または第２の状態遷移検知回路の状態遷移の検知により、第１のパッドおよび第２のパッドのいずれのパッドにリードが繋がっているのかを検知し、モード切替回路では、その検知に応じて２つの動作モードのうちの一方に切り替えることができる。また、入力回路では、第１のパッドの状態および第２のパッドの状態の論理積に応じて、リードからの信号を入力信号として取り入れることができる効果がある。
【００２１】
この発明によれば、プルダウンした第１のパッドの状態遷移を検知する第１の状態遷移検知回路と、プルダウンした第２のパッドの状態遷移を検知する第２の状態遷移検知回路と、第１の状態遷移検知回路により状態遷移が検知された場合、または第２の状態遷移検知回路により状態遷移が検知された場合に、互いに相違するモード切り替え信号を発生するモード切替回路と、第１のパッドの状態および第２のパッドの状態の論理和に応じた入力信号を発生する入力回路とを備えるように構成したので、所望の動作モードに基づいて、リードと第１のパッドおよび第２のパッドのいずれか一方とをワイヤボンディングすれば、第１の状態遷移検知回路または第２の状態遷移検知回路の状態遷移の検知により、第１のパッドおよび第２のパッドのいずれのパッドにリードが繋がっているのかを検知し、モード切替回路では、その検知に応じて２つの動作モードのうちの一方に切り替えることができる。また、入力回路では、第１のパッドの状態および第２のパッドの状態の論理和に応じて、リードからの信号を入力信号として取り入れることができる効果がある。
【００２２】
この発明によれば、プルアップした第１のパッドの状態遷移を検知する第１の状態遷移検知回路と、プルダウンした第２のパッドの状態遷移を検知する第２の状態遷移検知回路と、第１の状態遷移検知回路により状態遷移が検知された場合、または第２の状態遷移検知回路により状態遷移が検知された場合に、互いに相違するモード切り替え信号を発生するモード切替回路と、モード切替回路により第１のパッドにワイヤボンディングされた時のモード切り替え信号が発生された場合に第１のパッドの状態および第２のパッドの状態の論理和に応じた入力信号を発生し、モード切替回路により第２のパッドにワイヤボンディングされた時のモード切り替え信号が発生された場合に第１のパッドの状態否定および第２のパッドの状態の論理和に応じた入力信号を発生する入力回路とを備えるように構成したので、所望の動作モードに基づいて、リードと第１のパッドおよび第２のパッドのいずれか一方とをワイヤボンディングすれば、第１の状態遷移検知回路または第２の状態遷移検知回路の状態遷移の検知により、第１のパッドおよび第２のパッドのいずれのパッドにリードが繋がっているのかを検知し、モード切替回路では、その検知に応じて２つの動作モードのうちの一方に切り替えることができる。また、入力回路では、リードからの信号を入力信号として取り入れることができる効果がある。
【図面の簡単な説明】
【図１】この発明の実施の形態１による半導体装置を示す構成図である。
【図２】この発明の実施の形態１による半導体装置を示す構成図である。
【図３】モードＡ時の動作状態を示すタイミングチャートである。
【図４】モードＢ時の動作状態を示すタイミングチャートである。
【図５】この発明の実施の形態１による半導体装置の入出力状態を示す真理値表図である。
【図６】この発明の実施の形態２による半導体装置を示す構成図である。
【図７】この発明の実施の形態２による半導体装置を示す構成図である。
【図８】この発明の実施の形態２による半導体装置の入出力状態を示す真理値表図である。
【図９】この発明の実施の形態３による半導体装置を示す構成図である。
【図１０】この発明の実施の形態３による半導体装置を示す構成図である。
【図１１】この発明の実施の形態３による半導体装置の入出力状態を示す真理値表図である。
【図１２】従来の半導体装置を示す構成図である。
【図１３】従来の半導体装置を示す構成図である。
【符号の説明】
１　リード、２　チップ、３ａ　パッド（第１のパッド）、３ｂ　パッド（第２のパッド）、４ａ，４ｂ　ワイヤ、５　電源、６ａ，６ｂ　プルアップ抵抗、７ａ　状態遷移検知回路（第１の状態遷移検知回路）、７ｂ　状態遷移検知回路（第２の状態遷移検知回路）、８　モード切替回路、９，１２，１３　入力回路、１０　グランド、１１ａ，１１ｂ　プルダウン抵抗。
【図１】
2004047720.tif 000003
【図２】
2004047720.tif 000004
【図３】
2004047720.tif 000005
【図４】
2004047720.tif 000006
【図５】
2004047720.tif 000007
【図６】
2004047720.tif 000008
【図７】
2004047720.tif 000009
【図８】
2004047720.tif 000010
【図９】
2004047720.tif 000011
【図１０】
2004047720.tif 000012
【図１１】
2004047720.tif 000013
【図１２】
2004047720.tif 000014
【図１３】
2004047720.tif 000015